(57)【要約】【課題】両ハウジング間のがた付きを確実に抑えることが可能なコネクタを提供する。【解決手段】シール部材７０は、ハウジング本体１１に外嵌されるシール本体７１と、径方向に張り出す張出片７３とを有し、両ハウジング１０、２００の嵌合時には連結部１３とフード部２１０との間に張出片７３が弾性的に挟まれて両ハウジング１０、２００間の嵌合方向のがた付きを抑えることが可能となる。張出片７３には、連結部１３側に突出する突部７８が設けられている。連結部１３には、両ハウジング１０、２００の嵌合時に、突部７８が位置決め挿入される凹部３６が設けられ、凹部３７の内面には、突部７８を凹部３７の奥側に誘導可能な曲面状の曲面部３７が設けられている。【選択図】図７
2017033700.tif 000002
【特許請求の範囲】
【請求項１】
相手ハウジングに嵌合可能なハウジングと、
前記ハウジングに組み付けられるシール部材とを備え、
前記ハウジングは、端子金具を収容可能なハウジング本体と、前記ハウジング本体を包囲する嵌合筒部と、前記ハウジング本体及び前記嵌合筒部をつなぐ連結部とを有し、前記ハウジング本体と前記嵌合筒部との間で、且つ前記連結部に対向する空間が前記相手ハウジングのフード部が進入する嵌合空間として開放され、
前記シール部材は、前記ハウジング本体に外嵌されるシール本体と、前記シール本体よりも外側に張り出す張出片とを有し、前記両ハウジングの嵌合時には、前記ハウジング本体と前記フード部との間に前記シール本体が弾性的に挟まれて前記両ハウジング間のシールをとり、前記連結部と前記フード部との間に前記張出片が弾性的に挟まれて前記両ハウジング間の嵌合方向のがた付きを抑えることが可能とされるものであり、
前記張出片には、前記連結部側に突出する突部が設けられ、
前記連結部には、前記両ハウジングの嵌合時に、前記突部が位置決め挿入される凹部が設けられ、前記凹部の内面には、前記突部を前記凹部の奥側に誘導可能な曲面状の曲面部が設けられていることを特徴とするコネクタ。
【請求項２】
シール部材は、前記シール本体から前記張出片にかけて前記嵌合方向に延出する帯状片を有していることを特徴とする請求項１記載のコネクタ。
【発明の詳細な説明】
【技術分野】
【０００１】
本発明は、コネクタに関する。
【背景技術】
【０００２】
特許文献１に開示されたコネクタは、第２ハウジングに嵌合可能な第１ハウジング（以下、ハウジングという）と、ハウジングに組み付けられるシールリング（以下、シール部材という）とを備えている。ハウジングは、ブロック状の端子収容部（以下、ハウジング本体という）と、ハウジング本体の外周を包囲する筒状嵌合部（以下、嵌合筒部という）と、嵌合筒部とハウジング本体とをつなぐ径方向に沿った支持部（以下、連結部という）とを有している。ハウジング本体と嵌合筒部との間で且つ連結部の前方には、嵌合空間が開放されている。連結部の前面は、嵌合空間の奥端面を構成し、ここに収容凹部が設けられている。
【０００３】
シール部材は、ハウジング本体に外嵌されて両ハウジング間のシールをとるリング本体部と、リング本体部から径方向外側に張り出して両ハウジング間の嵌合方向のがた付きを抑える耳状張出部とから一体に構成されている。耳状張出部には、連結部側に突出する突部が設けられている。シール部材がハウジングに組み付けられると、突部が収容凹部に挿入され、耳状張出部がハウジングに対して位置決めされるようになっている。
【先行技術文献】
【特許文献】
【０００４】
【特許文献１】特開２０１４−２１６２６０号公報
【発明の概要】
【発明が解決しようとする課題】
【０００５】
ところで、ハウジングにシール部材を組み付ける過程においては、突部が収容凹部の開口端に引っ掛かる等して収容凹部に正しく挿入されず、耳状張出部が歪に変形するおそれがある。仮に、耳状張出部が歪に変形した状態で、両ハウジングが嵌合されると、耳状張出部がフード部に正規状態で圧縮変形されず、両ハウジング間のがた付きを抑える機能が損なわれるおそれがある。
【０００６】
本発明は上記のような事情に基づいて完成されたものであって、両ハウジング間のがた付きを確実に抑えることが可能なコネクタを提供することを目的とする。
【課題を解決するための手段】
【０００７】
本発明のコネクタは、相手ハウジングに嵌合可能なハウジングと、前記ハウジングに組み付けられるシール部材とを備え、前記ハウジングは、端子金具を収容可能なハウジング本体と、前記ハウジング本体を包囲する嵌合筒部と、前記ハウジング本体及び前記嵌合筒部をつなぐ連結部とを有し、前記ハウジング本体と前記嵌合筒部との間で、且つ前記連結部に対向する空間が前記相手ハウジングのフード部が進入する嵌合空間として開放され、前記シール部材は、前記ハウジング本体に外嵌されるシール本体と、前記シール本体よりも外側に張り出す張出片とを有し、前記両ハウジングの嵌合時には、前記ハウジング本体と前記フード部との間に前記シール本体が弾性的に挟まれて前記両ハウジング間のシールをとり、前記連結部と前記フード部との間に前記張出片が弾性的に挟まれて前記両ハウジング間の嵌合方向のがた付きを抑えることが可能とされるものであり、前記張出片には、前記連結部側に突出する突部が設けられ、前記連結部には、前記両ハウジングの嵌合時に、前記突部が位置決め挿入される凹部が設けられ、前記凹部の内面には、前記突部を前記凹部の奥側に誘導可能な曲面状の曲面部が設けられているところに特徴を有する。
【発明の効果】
【０００８】
突部が曲面部によって凹部の奥側に誘導されて凹部内で位置決めされるため、張出片が歪に変形するのを防止することができ、両ハウジングのがた付きを確実に防止することできる。
【図面の簡単な説明】
【０００９】
【図１】本発明の実施例のコネクタを斜め上後方から見た斜視図である。
【図２】検知部材が検知位置に留め置かれたコネクタの正面図である。
【図３】検知部材が待機位置に留め置かれたコネクタの平面図である。
【図４】検知部材が検知位置に留め置かれたコネクタの平面図である。
【図５】図４におけるブリッジ部を横断した平面図である。
【図６】検知部材が検知位置に留め置かれた状態を示すコネクタの断面図である。
【図７】フード部と連結部との間に張出片が弾性的に挟まれた状態を示す断面図である。
【図８】ハウジングを斜め上前方から見た斜視図である。
【図９】ハウジングの正面図である。
【図１０】フロント部材の正面図である。
【図１１】フロント部材の平面図である。
【図１２】フロント部材の底面図である。
【図１３】フロント部材の側面図である。
【図１４】シール部材の正面図である。
【図１５】シール部材の平面図である。
【図１６】検知部材の正面図である。
【図１７】検知部材の平面図である。
【図１８】検知部材の側面図である。
【図１９】相手ハウジングの正面図である。
【図２０】相手ハウジングの断面図である。
【図２１】他の実施例における張出片の概略的な拡大断面図である。
【発明を実施するための形態】
【００１０】
本発明の好ましい実施形態を以下に示す。  
シール部材は、前記シール本体から前記張出片にかけて前記嵌合方向に延出する帯状片を有している。帯状片によって、フード部に対するシール本体のシール領域を所定の位置に調整することができる。一方、張出片が帯状片を介してシール本体に支持されるため、形状の安定性に欠け、凹部に対する突部の挿入動作が規制されるおそれがある。しかし、本発明によれば、突部が曲面部に誘導されることで凹部に挿入される状態を担保することができる。
【００１１】
＜実施例＞
以下、本発明の実施例を図面に基づいて説明する。本実施例のコネクタは、相手ハウジング２００に嵌合可能なハウジング１０と、ハウジング１０に対して待機位置と検知位置との間を移動可能に組み付けられる検知部材５０と、ハウジング１０に組み付けられて相手ハウジング２００との間のシールをとるシール部材７０と、ハウジング１０の前端部に装着されるフロント部材９０とを備えている。
【００１２】
相手ハウジング２００は合成樹脂製であって、図１９に示すように、全体として幅方向（図１９の左右方向）に扁平な筒状のフード部２１０を有している。図２０に示すように、フード部２１０内は隔壁２１１を介して前後に分断されている。隔壁２１１には、複数の雄端子金具１００が幅方向に一列に並んで装着されている。雄端子金具１００は導電金属製であって、全体として前後方向に直線状に延出する形態になっている。
【００１３】
図２０に示すように、フード部２１０には、隔壁２１１の前側に、ハウジング１０の後述する嵌合空間１４に嵌合可能な嵌合部２１２が設けられている。図１９及び図２０に示すように、嵌合部２１２の内周一側面には、前後方向途中に段差２１３が設けられ、段差２１３を挟んだ前後領域のうちの後方領域が前方領域よりも厚肉になっている。嵌合部２１２の後方領域の内面は、上下方向（高さ方向）及び前後方向に沿った誤嵌合防止面２１４として構成される。嵌合部２１２の誤嵌合防止面２１４には、上下方向中央部で且つ後部に、側面視矩形（図面には表れていない）で且つ扁平台形の突所２１５が突出して設けられている。また、図６及び図１９に示すように、嵌合部２１２の前端側の上面には、ロック部２１６が突出して設けられている。
【００１４】
ハウジング１０は合成樹脂製であって、図７〜図９に示すように、幅方向（図９の左右方向）に扁平なブロック状のハウジング本体１１と、ハウジング本体１１の外周を包囲する筒状の嵌合筒部１２と、嵌合筒部１２とハウジング本体１１とをつなぐ径方向に沿った連結部１３とを一体に有している。ハウジング本体１１と嵌合筒部１２との間で、且つ連結部１３の前方の空間は、嵌合空間１４として開放されている。ハウジング本体１１には、前後方向に延出する複数のキャビティ１５が幅方向に一列に並んで設けられている。キャビティ１５の内壁下面には、撓み可能なランス１６が突出して設けられている。図７に示すように、キャビティ１５には後方から雌端子金具２０が挿入される。
【００１５】
雌端子金具２０は導電金属製であって前後方向に細長く延出する形態とされ、図７に示すように、前部に筒状の接続部２１を有し、後部にオープンバレル状のバレル部２２を有している。接続部２１には、両ハウジング１０、２００の正規嵌合時に、相手ハウジング２００に装着された雄端子金具１００が挿入されて接続される。バレル部２２は、電線２５の端末部に圧着によって接続され、且つ電線２５の外周面に嵌着されたゴム栓２６に圧着によって接続されている。雌端子金具２０がキャビティ１５に正規挿入されると、接続部２１にランス１６が弾性的に係止され、雌端子金具２０がキャビティ１５内に抜け止めされるとともに、ゴム栓２６がキャビティ１５の後端部に液密に挿入される。
【００１６】
図６及び図９に示すように、ハウジング本体１１の上方には、撓み可能なロックアーム１７が設けられている。ロックアーム１７は、ハウジング本体１１の上面から起立する脚部１８と、脚部１８の上端から前後両方向に延出するアーム本体１９とを有している。アーム本体１９は、全体として前後方向に沿った平板状をなし、脚部１８の上端を支点として上下方向に傾倒変位可能（弾性変位可能）とされている。図６に示すように、アーム本体１９の前端部には、ロック孔２７が上下に貫通して設けられている。両ハウジング１０、２００の正規嵌合時には、アーム本体１９のロック孔２７にロック部２１６が弾性的に嵌り込み、これによって両ハウジング１０、２００が離脱規制された状態で保持される。また、図４に示すように、アーム本体１９の幅方向両端縁には、検知部材５０の後述する抜止部６３と係止可能な抜止受部２８が突出して設けられている。
【００１７】
図８に示すように、嵌合筒部１２の上部には、検知部材５０の組み付け前に、ロックアーム１７を上方に露出させる開放空間部２９が開口して設けられている。また、嵌合筒部１２の上部には、開放空間部２９を挟んだ幅方向両側に、一対の保護壁３１が起立して設けられ、両保護壁３１の前端部の上縁間に、架橋壁３２が架け渡して設けられている。両保護壁３１の前端部と架橋壁３２とによって正面視門型のブリッジ部３３が構成され、ブリッジ部３３が開放空間部２９を区画する形態になっている。ブリッジ部３３の後端縁には、略矩形に切り欠かれた切欠部３４が設けられている。検知部材５０が検知位置に至ったときに、後述する検知アーム５２の先端部を、切欠部３４を通して視認することが可能となっている。
【００１８】
図６に示すように、ハウジング本体１１の外周面には、連結部１３よりも前方に、段付部３５が設けられ、段付部３５を挟んだ前後両領域のうちの前方領域が後方領域よりも一段落ちて配置されている。ハウジング本体１１の外周面の前方領域には、シール部材７０が嵌着されている。
【００１９】
シール部材７０はシリコンゴム等のゴム製であって、図１４及び図１５に示すように、正面視して幅方向に長く四隅部が湾曲した略四角環状のシール本体７１と、シール本体７１の後端の四隅部から後方に細長く直線状に延出する帯状片７２と、帯状片７２の後端（延出端）から外側に張り出す張出片７３とで一体に構成されている。図１４に示すように、張出片７３の外周縁は、正面視してシール本体７１の四隅部に沿うように略弧状に湾曲する形態になっている。
【００２０】
図６及び図１５に示すように、シール本体７１は、外周面に外周リップ７４が周設され、内周面に内周リップ７５が周設されている。ハウジング本体１１にシール部材７０が嵌着されると、ハウジング本体１１の外周面に内周リップ７５が弾性的に密着する。また、両ハウジング１０、２００の正規嵌合時には、嵌合空間１４に進入したフード部２１０の内周面に外周リップ７４が弾性的に密着する。これにより、両ハウジング１０、２００間がシール本体７１を介して液密にシールされた状態になる。
【００２１】
図１４に示すように、張出片７３の前面には、溝部７７を介して幅方向（周方向）に分割された受圧部７６が突設されている。また、図１５に示すように、張出片７３の後面には、受圧部７６と背合わせの位置に、溝部７９を介して幅方向に分割された一対の突部７８が突設されている。図１５に示すように、受圧部７６の前端面及び突部７８の後端面は、いずれも幅方向に沿って配置されている。図７に示すように、両ハウジング１０、２００の正規嵌合時には、フード部２１０と連結部１３との間に張出片７３が前後方向に挟まれ、各受圧部７６の前端面にフード部２１０の四隅部の開口端が押圧状態で当接し、各突部７８の後端面に連結部１３の後述する凹部３６の曲面部３７が密着して、両ハウジング１０、２００の前後方向のがた付きが抑えられる。この場合に、受圧部７６及び突部７８は、溝部７７、７９に向けて圧縮変形可能となっている。
【００２２】
連結部１３の前面は、嵌合空間１４の奥面を構成し、図９に示すように、周方向に関してロックアーム１７の脚部１８と対応する部分を除いて周方向に延出して配置されている。そして、図９に示すように、連結部１３の前面には、フード部２１０の四隅部と対応する奥隅部分に、凹部３６が設けられている。凹部３６は、周方向に湾曲する形状をなし、且つ、図７に示すように、その内面が開口端から奥端にかけて深さ方向に曲面状に凹む曲面部３７として構成される。凹部３６の曲面部３７の開口端は、弧状に角落としされ、前方へ向けて拡開している。凹部３６には、対応する突部７８が位置決め状態で挿入される。このとき、突部７８は凹部３６の曲面部３７に沿うようにして凹部３６の開口端から奥端へ向けて誘い込まれる。
【００２３】
また、ハウジング本体１１の前端部には、フロント部材９０が嵌着されている。フロント部材９０は合成樹脂製であってキャップ状をなし、図６及び図７に示すように、両ハウジング１０、２００の正規嵌合時には、フード部２１０の嵌合部２１２の内側に配置される。具体的には、図１０〜図１３に示すように、フロント部材９０は、幅方向に長い板状の前壁部９１と、前壁部９１の外周縁から後方に延出する筒状の周壁部９２とで一体に構成されている。
【００２４】
前壁部９１には、各キャビティ１５と対応する位置に、図１０に示すように、複数の貫通孔９３が幅方向に一列に並んで設けられている。図７に示すように、前壁部９１の後面には、貫通孔９３の下縁部から後方に突出する抜止片９４が設けられている。
【００２５】
周壁部９２は、図１０に示すように、上壁９６、側壁９７、下壁９８、湾曲壁９９及びストレート壁４１によって一体に構成されている。上壁９６及び下壁９８は、幅方向に沿って互いにほぼ平行に配置される部分を有し、やや湾曲した幅方向一端部に、ストレート壁４１及び湾曲壁９９のそれぞれの上下両端が一体に連結され、幅方向他端部に、側壁９７の上下両端が一体に連結されている。
【００２６】
側壁９７は、周壁部９２の前後方向の全長に亘って形成され、正面視において側外方（図１０の向かって右側）に弧状に湾曲する形態になっている。湾曲壁９９は、周壁部９２の後端部において側壁９７と幅方向で略対称に配置され、正面視において側外方（図１０の向かって左側）に弧状に湾曲する形態になっている。図１０に示すように、湾曲壁９９は、上壁９６及び下壁９８の幅方向一端部間にアーチ状に架設されている。湾曲壁９９の上下方向中央部には、最も外側に張り出す最外端部４２が上下方向にほぼ沿って設けられている。
【００２７】
上壁９６の後端部、側壁９７の後端部、下壁９８の後端部及び湾曲壁９９は、全周に亘って連続する環状をなし、図６及び図７に示すように、フロント部材９０がハウジング１０に正規装着されたときに、シール部材７０に対向してシール部材７０の前方への抜け出しを規制する押さえ部４３として構成される。
【００２８】
図１０〜図１３に示すように、ストレート壁４１は、周壁部９２の幅方向一端部において湾曲壁９９の前方に配置されている。ストレート壁４１の外面は、上下方向及び前後方向に沿う形態とされ、両ハウジング１０、２００の正規嵌合時に、相手ハウジング２００の誤嵌合防止面２１４と対面して配置される。
【００２９】
図１０及び図１３に示すように、ストレート壁４１の外面には、浅底の凹所４４が設けられている。図１３に示すように、凹所４４は、側面視して前後方向に長い矩形状をなし、フロント部材９０の前端から後方へ向かう所定範囲に設けられている。凹所４４の奥面には、がた詰め部４５が突設されている。がた詰め部４５は、前後方向に延出するリブ状をなし、ストレート壁４１の上下方向中央部（フロント部材９０の上下方向中央部でもある）に配置されている。凹所４４には突所２１５がほぼ位置決めされた状態で嵌合可能とされている。フロント部材９０を正面視すると、がた詰め部４５の側外方（図１０の向かって左側）に、湾曲壁９９が張り出すように配置されている。また、がた詰め部４５は、湾曲壁９９の最外端部４２と上下方向（高さ方向）で重なる位置に配置されている。このため、側方からの異物は、湾曲壁９９の最外端部４２等に当接することで、がた詰め部４５と接触しない状態に維持可能となっている。
【００３０】
周壁部９２の外周面には、図１０に示すように、周方向に間隔をあけて複数のリブ４６が突設されている。図１１及び図１２に示すように、各リブ４６は、前後方向に延出する形態とされ、前端が周壁部９２の前端部に位置し、後端が周壁部９２の前後方向中央よりも少し前方に位置している。各リブ４６は、がた詰め部４５とほぼ同一の形態で構成されている。そして、図１０に示すように、各リブ４６は、周壁部９２において、上壁９６の外面の幅方向両端部と、下壁９８の外面の幅方向両端部と、側壁９７の外面の上下方向中央部とに、それぞれ配置されている。このうち、側壁９７の外面の上下方向中央部に配置されたリブ４６は、がた詰め部４５とほぼ同じ高さ位置に配置されている。また、図１０及び図１１に示すように、上壁９６の幅方向一端部には、前後方向に延出して前壁部９１に開口する切欠溝４７が設けられている。
【００３１】
続いて、検知部材５０について説明する。検知部材５０は合成樹脂製であって、ハウジング本体１１の上方で且つ両保護壁３１間に配置され（図１を参照）、ロックアーム１７のアーム本体１９をスライドして移動可能とされている。この場合に、検知部材５０は、待機位置から検知位置へと前方に押圧されて移動可能とされている。
【００３２】
図１６及び図１７に示すように、検知部材５０は、平面視矩形の扁平な形状をなし、上下方向に沿った背板部５１と、背板部５１の幅方向中央部から前方に長く延出する検知アーム５２と、背板部５１の幅方向両端部から前方へ長く延出する一対の突片５３と、両突片５３の上端間に架け渡される天板部５４とを備えている。
【００３３】
図１及び図１７に示すように、天板部５４の後端部には、窓孔５５が上下方向に貫通して設けられている。検知部材５０が待機位置にあるときには、窓孔５５を通して検知アーム５２の後端部を視認することができ（図３を参照）、検知部材５０が検知位置にあるときには、窓孔５５を通してロックアーム１７のアーム本体１９の後端部を視認することができる（図４を参照）。このため、検知部材５０が待機位置と検知位置のいずれの位置にあるのかを窓孔５５を通して知ることができる。
【００３４】
また、図１及び図１７に示すように、天板部５４の後端部の外面には、窓孔５５の開口縁部を周回する周回リブ５６が設けられている。天板部５４の前端は、幅方向に沿って配置され、図４に示すように、検知部材５０が検知位置に至ったときに、ブリッジ部３３の後端に当接する当接部５７として構成される。
【００３５】
両突片５３は、上下方向及び前後方向に沿った帯板状をなし、後端が背板部５１に一体に連結され、上端が天板部５４に一体に連結されることで、全体として実質的に撓み変形しない形態になっている。図１７に示すように、両突片５３の前端は、検知部材５０全体の中で最前位置に配置されている。
【００３６】
また、両突片５３の前端部は、図１７に示すように、天板部５４の当接部５７よりも前方に突出して配置され、図２、図４、図５及び図６に示すように、検知部材５０が検知位置にあるときに、ブリッジ部３３の両端角部（両保護壁３１と架橋壁３２とが連結される略Ｌ字の連結部位）の内側に当接可能に配置される進入部５８として構成される。図２に示すように、進入部５８は、保護壁３１の内面に対面して当接可能な側面領域５９と、側面領域５９に対してほぼ直角に配置され、架橋壁３２の内面に対面して当接可能な上面領域６１とを有している。
【００３７】
図１６に示すように、両突片５３の内面には、前後方向に延出するガイド溝６２が凹設されている。検知部材５０の移動時には、アーム本体１９の幅方向両端部に張り出して設けられたガイドリブ３９がガイド溝６２に嵌合されて摺動することにより、検知部材５０のスライド動作が案内されるようになっている（図２を参照）。
【００３８】
また、図１７に示すように、両突片５３の内面には、前後方向略中央部に、爪状の抜止部６３が突出して設けられている。天板部５４には、抜止部６３の形成に伴って図示しない金型が通過することに起因する型抜き孔６４が幅方向両側に対をなして開設されている。
【００３９】
検知アーム５２は、幅方向及び前後方向に沿った帯板状をなし、上下方向に撓み変形可能とされている。図１７に示すように、検知アーム５２の前端は、天板部５４の当接部５７よりも前方で且つ両突片５３の進入部５８の前端よりも少し後方に控えて位置している。図１８に示すように、検知部材５０を側面視すると、検知アーム５２は、突片５３に隠れてほぼ見えない状態になっている。
【００４０】
検知アーム５２の前端部の下面には、爪状の係止突起６５が突出して設けられている。後述するように、検知部材５０が待機位置にあるときには、係止突起６５がロックアーム１７のアーム本体１９のロック孔２７に進入してアーム本体１９と係止可能とされている。
【００４１】
次に、本実施例の作用を説明する。  
組み付けに際し、ハウジング本体１１の外周面にシール部材７０が装着される。このとき、張出片７３の前面が図示しない治具等で押圧され、張出片７３の突部７８が曲面部３７を摺動して凹部３６の奥側へと円滑に誘い込まれ、凹部３６内に位置決め状態で収容される。シール部材７０の装着過程では、突部７８が曲面部３７を摺動することにより、張出片７３及び帯状片７２が歪に変形等するのを防止することが可能となっている。シール部材７０がハウジング本体１１に正規に装着されると、シール本体７１がハウジング本体１１の外周面に弾性的に密着し、帯状片７２がシール本体７１と張出片７３との間にハウジング本体１１の外周面に沿って前後方向に延出して配置される（図７を参照）。
【００４２】
続いて、ハウジング本体１１の前端部にフロント部材９０が正規深さで装着される。すると、ランス１６の撓み空間に抜止片９４が進入してランス１６の撓み動作が規制される。これにより、キャビティ１５に挿入された雌端子金具２０が実質的に二重係止された状態となる。また、フロント部材９０の押さえ部４３がシール本体７１の前端に対向して配置され、これによってシール部材７０の前方への抜け出しが規制される。
【００４３】
両ハウジング１０、２００の嵌合前の段階では、検知部材５０は待機位置に留め置かれている（図１及び図３を参照）。待機位置では、ロックアーム１７のアーム本体１９の上方を天板部５４が覆うように配置されるとともに、両突片５３が保護壁３１の内側に当接可能に配置され、且つ、両突片５３のガイド溝６２にガイドリブ３９が嵌合状態で挿入される。そして、待機位置では、検知アーム５２がロックアーム１７のロック孔２７に後方から進入し、係止突起６５がロック孔２７の前端に当接することで、検知部材５０の検知位置への移動が規制され、且つ、両突片５３の抜止部６３がロックアーム１７の抜止受部２８を弾性的に係止することで、検知部材５０のハウジング１０からの離脱が規制される。
【００４４】
次いで、ハウジング１０の嵌合空間１４に相手ハウジング２００のフード部２１０の嵌合部２１２が挿入され、両ハウジング１０、２００の嵌合動作が開始される。両ハウジング１０、２００の嵌合過程では、アーム本体１９の前端がロック部２１６と干渉して、ロックアーム１７が撓み変形させられる。このとき、検知アーム５２がロックアーム１７とともに撓み変形させられ、係止突起６５とアーム本体１９との係止状態が維持される。両ハウジング１０、２００が正規嵌合されると、ロックアーム１７が弾性的に復帰し、ロック部２１６がロック孔２７に嵌り込むことで、両ハウジング１０、２００が離脱規制された状態に保持される（図６を参照）。そして、ロック部２１６がロック孔２７に嵌り込むのに伴い、係止突起６５がロック部２１６に押圧されてアーム本体１９との係止状態が解除され、検知部材５０の検知位置への移動が可能となる。
【００４５】
続いて、天板部５４の周回リブ５６等に指が引っ掛けられ、その状態で検知部材５０が検知位置に押し込まれる。このとき、ガイド溝６２にガイドリブ３９が摺動することで、検知部材５０が円滑に移動させられる。また、係止突起６５がアーム本体１９の前端部の上面を摺動し、検知アーム５２が撓み変形させられる。検知部材５０が検知位置に至ると、検知アーム５２が弾性的に復帰し、係止突起６５がアーム本体１９の前端に当接可能に配置される。これにより、検知部材５０が待機位置に戻る方向に移動するのが規制される（図６を参照）。また、検知位置では、天板部５４の当接部５７がブリッジ部３３の架橋壁３２に当て止めされ、検知部材５０の前進が規制される（図４を参照）。
【００４６】
さらに、検知位置に至る手前の段階から検知位置にかけて、両突片５３の進入部５８がブリッジ部３３の内側に進入し、ブリッジ部３３の両端角部の内面に対して進入部５８の側面領域５９及び上面領域６１が当接可能に配置される（図２及び図５を参照）。これにより、ブリッジ部３３の両端角部が進入部５８で内側から支持されて一体的に剛体化され、ブリッジ部３３が外力を受けて撓み変形するのを防止することが可能となる。
【００４７】
また、両ハウジング１０、２００が正規嵌合されると、フード部２１０の開口端が張出部の受圧部７６に当接し、受圧部７６の圧潰を伴いつつ突部７８が曲面部３７に沿って凹部３６の奥側に緊密に押し込まれる（図７を参照）。こうして張出片７３が前後方向に弾性的に圧縮変形させられることにより、両ハウジング１０、２００間の前後方向のがた付きが抑えられる。
【００４８】
また、両ハウジング１０、２００の嵌合過程の終盤から正規嵌合時にかけて、フード部２１０の内周面にがた詰め部４５及び各リブ４６が当接し、がた詰め部４５及び各リブ４６の突出端部が圧潰された状態になる。この場合に、フード部２１０の誤嵌合防止面２１４がフロント部材９０のストレート壁４１に対面して配置され、突所２１５が凹所４４に嵌り込んで位置決めされ、その状態で、突所２１５の平坦な突出端面にがた詰め部４５が圧潰状態で当接するようになっている。したがって、がた詰め部４５及び各リブ４６によって両ハウジング１０、２００の嵌合方向と交差する方向のがた付きも抑えられる。
【００４９】
一方、ハウジング１０が相手ハウジング２００に対して正規の嵌合姿勢をとっていないと、フード部２１０の誤嵌合防止面２１４がフロント部材９０の前壁部９１に干渉等して、両ハウジング１０、２００の嵌合動作が規制される。したがって、両ハウジング１０、２００が正規の嵌合姿勢をとっていないことを、両ハウジング１０、２００の嵌合初期の段階で知ることができる。
【００５０】
以上説明したように本実施例によれば、次の効果を奏することができる。  
シール部材７０の張出片７３の突部７８がハウジング１０の曲面部３７によって凹部３６の奥側に誘導されて凹部３６内で位置決めされるため、張出片７３及び帯状片７２が歪に変形するのを防止することができ、両ハウジング１０、２００のがた付きを確実に抑えることができる。とくに、本実施例の場合、帯状片７２が前後方向に細長く延出することで形状安定性に欠け、突部７８が凹部３６に挿入されにくい状態になり易いため、凹部３６の曲面部３７に沿って突部７８が誘い込まれる構造にすることのメリットが大となる。
【００５１】
また、検知部材５０の両突片５３の進入部５８がブリッジ部３３の両端部の内側に当接可能に配置されることにより、外力を受けたブリッジ部３３が変形するのを防止することができる。その結果、ブリッジ部３３を有する嵌合筒部１２の筒形状を良好に維持することができ、嵌合筒部１２と相手ハウジング２００との嵌合動作を支障なく円滑に行うことができる。
【００５２】
また、検知部材５０が検知位置に至る手前で、両突片５３の進入部５８がブリッジ部３３の両端部の内側に当接可能に進入し、検知部材５０が検知位置に至ったときに、当接部５７がブリッジ部３３に当て止めされるため、当接部５７の当て止め時の衝撃でブリッジ部３３が変形するのを回避することができる。
【００５３】
また、フロント部材９０を正面視すると、がた詰め部４５よりも外側に湾曲壁９９が配置されているため、がた詰め部４５に外部からの異物が接触するのを回避し易くなる。その結果、がた詰め部４５の突出形状が維持され、がた詰め部４５によるがた詰めの信頼性を高めることができる。
【００５４】
また、湾曲壁９９が、がた詰め部４５を保護する機能とシール部材７０の抜け出しを規制する機能とを兼備することにより、フロント部材９０全体の構成が複雑になるのを防止することができる。
【００５５】
さらに、がた詰め部４５が正面視において湾曲壁９９の最外端部４２と高さ方向で重なる位置に配置されているため、がた詰め部４５に外部からの異物がより干渉しにくくなる。
【００５６】
＜他の実施例＞
以下、他の実施例を簡単に説明する。  
（１）図２１に示すように、シール部材７０Ａの張出片７３Ａは、前面に凹曲曲面状の受圧部７６Ａが設けられ、後面に突曲面状の突部７８Ａが設けられるものであってもよい。両ハウジング１０、２００の嵌合時には、受圧部７６Ａにフード部２１０の開口端が位置決め状態で嵌り込み、連結部１３の凹部３６に突部７８Ａが位置決め状態で嵌り込むようになるとよい。  
（２）フロント部材は、リテーナ機能を有しないフロントマスクとして構成されるものであってもよい。  
（３）曲面部は、凹部の開口端部のみに形成されるものであってもよい。  
（４）検知部材が待機位置にあるとき、あるいは検知部材が待機位置と検知位置のいずれの位置にあるときにも、ブリッジ部の両端部の内側に、突片が当接可能に配置されるものであってもよい。
【符号の説明】
【００５７】
１０…ハウジング
１１…ハウジング本体
１２…嵌合筒部
１３…連結部
１４…嵌合空間
１５…キャビティ
１６…ランス
１７…ロックアーム
２９…開放空間部
３３…ブリッジ部
３６…凹部
３７…曲面部
４１…ストレート壁
４２…最外端部
４３…押さえ部
４５…がた詰め部
５０…検知部材
５２…検知アーム
５３…突片
５７…当接部
５８…進入部
７０、７０Ａ…シール部材
７１…シール本体
７２…帯状片
７３、７３Ａ…張出片
７８、７８Ａ…突部
９０…フロント部材
９９…湾曲壁
２００…相手ハウジング
２１０…フード部
２１４…誤嵌合防止面
【図１】
2017033700.tif 000003
【図２】
2017033700.tif 000004
【図３】
2017033700.tif 000005
【図４】
2017033700.tif 000006
【図５】
2017033700.tif 000007
【図６】
2017033700.tif 000008
【図７】
2017033700.tif 000009
【図８】
2017033700.tif 000010
【図９】
2017033700.tif 000011
【図１０】
2017033700.tif 000012
【図１１】
2017033700.tif 000013
【図１２】
2017033700.tif 000014
【図１３】
2017033700.tif 000015
【図１４】
2017033700.tif 000016
【図１５】
2017033700.tif 000017
【図１６】
2017033700.tif 000018
【図１７】
2017033700.tif 000019
【図１８】
2017033700.tif 000020
【図１９】
2017033700.tif 000021
【図２０】
2017033700.tif 000022
【図２１】
2017033700.tif 000023